(57)【要約】【課題】極めて簡単な構成により、種類判別センサーを印刷用紙の印刷面に沿うように配設し、精度よく印刷用紙の種別を判別できるようにしたプリンタを提供することを目的とする。【解決手段】印刷用紙１２を収納する給紙トレイ２と、前記印刷用紙１２を搬送する給紙ローラ５と、一定の条件を基に回転を始める送りローラ７と、前記給紙ローラ５および送りローラ７を駆動する駆動モータ１０と、前記給紙ローラ５を単軸片持ち支持する給紙ローラ軸５１および給紙ローラベース１７を有する揺動レバー１６とを備え、前記印刷用紙１２に前記給紙ローラ５を押し付けた状態で、この給紙ローラ５を回転させることにより、前記印刷用紙１２を送り出すようにプリンタ給紙機構を形成するとともに、このプリンタ給紙機構から送り出される印刷用紙１２の種類を判別する種類判別センサー３０を、前記給紙ローラベース１７に取付ける。【選択図】図１
2005022122.tif 000002
【特許請求の範囲】
【請求項１】
印刷用紙を収納する給紙トレイと、前記印刷用紙を搬送する給紙ローラと、一定の条件を基に回転を始める送りローラと、前記給紙ローラおよび送りローラを駆動する駆動モータと、前記給紙ローラを単軸片持ち支持する給紙ローラ軸を内部に配設した給紙ローラベースを有する揺動レバーとを備え、前記印刷用紙に前記給紙ローラを押し付けた状態で、この給紙ローラを回転させることにより、前記印刷用紙を送り出すようにプリンタ給紙機構を形成するとともに、プリンタ給紙機構から送り出される印刷用紙の種類を判別する種類判別センサーを、前記印刷用紙の印刷面に沿うように回動自在に前記給紙ローラベースに取付けたことを特徴とするプリンタ。
【請求項２】
印刷用紙を収納する給紙トレイと、前記印刷用紙を搬送する給紙ローラと、一定の条件を基に回転を始める送りローラと、前記給紙ローラおよび送りローラを駆動する駆動モータと、前記給紙ローラを単軸片持ち支持する給紙ローラ軸および給紙ローラベースを有する揺動レバーとを備え、前記印刷用紙に前記給紙ローラを押し付けた状態で、この給紙ローラを回転させることにより、前記印刷用紙を送り出すようにプリンタ給紙機構を形成するとともに、このプリンタ給紙機構から送り出される印刷用紙の種類を判別する種類判別センサーを、前記給紙ローラベースに取付けたことを特徴とするプリンタ。
【請求項３】
前記給紙ローラベースにセンサー支持脚を形成し、このセンサー支持脚に前記種類判別センサーを、前記印刷用紙の印刷面に沿うように回動自在に軸着したことを特徴とする請求項１または請求項２に記載のプリンタ。
【請求項４】
前記給紙ローラベースに前記給紙ローラの上方からこの給紙ローラと給紙トレイとの間まで斜め下方に延びる用紙ガイド板を有する用紙ガイドを設け、この用紙ガイドにセンサー支持脚を形成し、このセンサー支持脚に前記種類判別センサーを前記印刷用紙の印刷面に沿うように回動自在に軸着したことを特徴とする請求項１または請求項２に記載のプリンタ。
【請求項５】
前記給紙ローラベースと、センサー支持脚を有する用紙ガイド板とを一体的に樹脂成形したことを特徴とする請求項４に記載のプリンタ給紙機構。
【請求項６】
前記センサー支持脚を一対形成し、これらセンサー支持脚間に前記種類判別センサーを軸着したことを特徴とする請求項３乃至請求項５に記載のプリンタ。
【発明の詳細な説明】
【０００１】
【発明の属する技術分野】本発明は、例えばインクジェット式などのプリンタに関し、特に印刷用紙の種別を判別するようにした種類判別センサーを備えたプリンタに関する。
【０００２】
【従来の技術】近年この種プリンタ市場では、印刷速度の高速化とともに、仕上がりの美麗が要求されている。
【０００３】一般に、プリンタの印刷結果は印刷用紙の表面の目粗さ、材質などによって大きく左右される。例えば、インクジェット式のプリンタで普通紙にカラー写真画像を印刷すると、印刷された画像はインクが滲んだぼやけたものになる。このため、普通紙の他、用紙表面にコーティングを施した専用光沢紙、例えばフォトプリント紙やオーバーヘッドプロジェクターに使用するＯＨＰ用紙など、様々な印刷の目的に応じた性質の印刷用紙が数多く市場に供給されている。一方、プリンタには、印刷用紙の種類に応じて最適な印刷条件を設定し印刷用紙に定着させる色材の濃さなどを変更することによって、印刷用紙に応じた最良の印刷結果が得られる機能が備えられている。従来のプリンタでは、色材の濃さなどを変更して最良の印刷結果を得るためには、印刷条件の設定時に正しい用紙種類が選択されていなければならなかった。
【０００４】しかし、印刷用紙の外観から用紙種類を一見して判別することは困難であるため印刷条件の設定時に誤った用紙種類が選択される恐れがあり、誤った用紙種類が選択されると最良の印刷結果を得ることができないという問題があった。また、用紙種類が変わる度に印刷条件を設定しなければならず操作が繁雑になるという問題があった。
【０００５】ところで、印刷用紙の有無を検出するための検出部材を、スナップ係合可能な軸受け状の第１および第２係合部を有するホルダーに取付け、前記第１係合部を給紙ローラの連結軸に、第２係合部カム部材の連結軸にそれぞれ係合したものがある（例えば、特許文献１参照）。
【０００６】
【特許文献１】
特開２００１−９７６０８号公報
【０００７】ところが、前述の特許文献１記載の構成では、給紙ローラが印刷用紙に圧接状態のときには、前記検出部材により印刷用紙の有無を検出することはできるが、本発明が課題とする印刷用紙の質、すなわち印刷用紙の種類を判別するといった技術的思想が皆無であるため、前記検出部材と印刷用紙との関係は全く考慮されておらず、上述した問題解決の手段とはなりえない。
【０００８】上述の点を考慮して、例えば図６および図７に示すように、筐体１内に可動式の給紙トレイ２と左右一対の側板３とにより給紙口４を形成し、この給紙口４内に給紙ローラ５を配置し、前記筐体１内の給紙口４と排紙口６との間に、送りローラ７と、印刷部８と、排紙ローラ９とを設け、前記給紙ローラ５、送りローラ７および排紙ローラ９を駆動モータ１０で駆動するようにしたプリンタ給紙機構を備えたプリンタにおいて、前記側板３−３間にセンサー支持シャフト１１を横架し、このセンサー支持シャフト１１に印刷用紙１２の種類を判別する種類判別センサー１３を、センサー支持部１４およびセンサー用スプリング１５などを用いて印刷用紙１２の印刷面に沿うように配設するようにすることが考えられる。
【０００９】なお、図６および図７において、前記給紙ローラ５は、揺動レバー１６の給紙ローラベース１７内に配設された給紙ローラ軸５１により単軸片持ち支持されている。前記揺動レバー１６のレバー本体１８は、前記筐体１内の下部に設けられた支持枠１９に固定され、この支持枠１９に突設した枢支軸２０に、これを支点として図示しない引張りバネなどを用いて揺動可能に枢支されている。この揺動レバー１６は、横断面が略コ字状に形成され、そのレバー本体１８の外側面側である凹部には、支持枠１９に配置した前記駆動モータ１０と給紙ローラ５とを連動連結するための駆動歯車、中間歯車および従動歯車などからなる連動機構２１が設けられている。２２は給紙トレイ２上に配置されて印刷用紙１２の側縁をガイドする側縁ガイド部材、２３および２４は、押さえローラである。
【００１０】
【発明が解決しようとする課題】図６および図７に示す構成によれば、種類判別センサー１３が印刷用紙１２の印刷面に沿うように配設されているので、例えば種類判別センサー１３の発光部から印刷用紙に光を照射し、印刷用紙１２で反射された光を、種類判別センサー１３の受光部で受光して、その光の強度により図示しない判別部により印刷用紙１２の種類を判別することができ、都合がよい。しかしながら、この構成では、種類判別センサー１３を設置するためのみに、センサー支持シャフト１１を側板３−３間に横架し、しかもセンサー用スプリング１５などを用いており、部品点数の増加を招来し、その構成が極めて煩雑となり、勢い高価なものとなる、などといった課題がある。
【００１１】本発明は、上述した問題を解決するためになされたものであり、極めて簡単な構成により、種類判別センサーを印刷用紙の印刷面に沿うように配設し、精度よく印刷用紙の種別を判別できるようにしたプリンタを提供することを目的とする。
【００１２】
【課題を解決するための手段】かかる目的を達成するため、請求項１記載の発明では、印刷用紙を収納する給紙トレイと、前記印刷用紙を搬送する給紙ローラと、一定の条件を基に回転を始める送りローラと、前記給紙ローラおよび送りローラを駆動する駆動モータと、前記給紙ローラを単軸片持ち支持する給紙ローラ軸を内部に配設した給紙ローラベースを有する揺動レバーとを備え、前記印刷用紙に前記給紙ローラを押し付けた状態で、この給紙ローラを回転させることにより、前記印刷用紙を送り出すようにプリンタ給紙機構を形成するとともに、このプリンタ給紙機構から送り出される印刷用紙の種類を判別する種類判別センサーを、前記印刷用紙の印刷面に沿うように回動自在に前記給紙ローラベースに取付ける。
【００１３】請求項１記載の発明の構成によれば、印刷用紙の種類を判別する種類判別センサーは、給紙時には印刷用紙に押し付けられる給紙ローラの給紙ローラベースに取付けられているので、種類判別センサーを取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。しかも、種類判別センサーは、印刷用紙の印刷面に沿うように回動自在に取付けられているので、検出精度が一段と向上する。
【００１４】請求項２記載の発明では、印刷用紙を収納する給紙トレイと、前記印刷用紙を搬送する給紙ローラと、一定の条件を基に回転を始める送りローラと、前記給紙ローラおよび送りローラを駆動する駆動モータと、前記給紙ローラを単軸片持ち支持する給紙ローラ軸および給紙ローラベースを有する揺動レバーとを備え、前記印刷用紙に前記給紙ローラを押し付けた状態で、この給紙ローラを回転させることにより、前記印刷用紙を送り出すようにプリンタ給紙機構を形成するとともに、このプリンタ給紙機構から送り出される印刷用紙の種類を判別する種類判別センサーを、前記給紙ローラベースに取付ける。
【００１５】請求項２記載の発明の構成によれば、印刷用紙の種類を判別する種類判別センサーは、給紙時には印刷用紙に押し付けられる給紙ローラの給紙ローラベースに取付けられているので、種類判別センサーを取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。
【００１６】請求項３記載の発明では、前記給紙ローラベースにセンサー支持脚を形成し、このセンサー支持脚に前記種類判別センサーを、前記印刷用紙の印刷面に沿うように回動自在に軸着する。
【００１７】請求項３記載の発明の構成によれば、種類判別センサーをセンサー支持脚に軸着するのみで、軸着された種類判別センサーは、印刷用紙の印刷面に沿うように回動自在に取付けられ、その取付作業が極めて簡単である。
【００１８】請求項４記載の発明では、前記給紙ローラベースに前記給紙ローラの上方からこの給紙ローラと給紙トレイとの間まで斜め下方に延びる用紙ガイド板を有する用紙ガイドを設け、この用紙ガイドにセンサー支持脚を形成し、このセンサー支持脚に前記種類判別センサーを前記印刷用紙の印刷面に沿うように回動自在に軸着する。
【００１９】請求項４記載の発明の構成によれば、種類判別センサーを用紙ガイドに設けたセンサー支持脚に軸着するのみで、軸着された種類判別センサーは、印刷用紙の印刷面に沿うように回動自在に取付けられ、その取付作業が極めて簡単である他、用紙をガイドする機能を付加することができ都合がよい。
【００２０】請求項５記載の発明では、前記給紙ローラベースと、センサー支持脚を有する用紙ガイド板とを一体的に樹脂成形する。
【００２１】請求項５記載の発明の構成によれば、給紙ローラベースと、センサー支持脚が一体に形成されているので、部品点数の削減が図れるとともに、金型の種類も減らし、かつ組立工数の削減を図ることができる。
【００２２】請求項６記載の発明では、前記センサー支持脚を一対形成し、これらセンサー支持脚間に前記種類判別センサーを軸着する。
【００２３】請求項６記載の発明の構成によれば、種類判別センサーを一対のセンサー支持脚間に軸着するのみで、軸着された種類判別センサーは、印刷用紙の印刷面に沿うように回動自在に取付けられ、その取付作業が極めて簡単である。
【００２４】
【発明の実施の形態】以下、本発明の実施の形態を図１乃至図３に基づき説明する。図１乃至図３において図６および図７と同じ符号を付した部分は略同一のものを示す。
【００２５】図１は、本発明の一実施の形態によるプリンタの概略構成を示す部分断面図で、図２は、図１に示すプリンタの要部を示す要部平面図、図３は、図１の種類判別センサー部分を拡大して示す拡大断面図である。
【００２６】本発明にしたがい、印刷用紙１２に給紙ローラ５を押し付けた状態で、この給紙ローラ５を回転させることにより、前記印刷用紙１２を送り出すようにプリンタ給紙機構を形成するとともに、このプリンタ給紙機構から送り出される印刷用紙１２の種類を判別する種類判別センサー３０を、前記印刷用紙１２の印刷面に沿うように回動自在に前記給紙ローラベース１７に取付ける。具体的には、例えば給紙ローラベース１７に一対のセンサー支持脚４１を有するセンサー支持部４０を合成樹脂などで一体成形により形成し、前記一対のセンサー支持脚４１−４１の間に前記種類判別センサー３０を軸４２により、前記種類判別センサー３０の検出面３１が前記印刷用紙１２の印刷面に沿うように回動自在に軸着する。なお、３２は、種類判別センサー３０の発光部、３３は、種類判別センサー３０の受光部である。
【００２７】以上の構成において、印刷用紙１２の種類を判別する場合、先ず、前記種類判別センサー３０の発光部３２から印刷用紙１２に光を照射すると、その光は、印刷用紙１２で反射され、受光部３３に入射される。この受光部３３では受光した光の強度に基づく信号を、図示しない判別部に伝達し、判別部により印刷用紙１２の種類を判別する。その後、判別結果に基づいて図示しない制御部により、印刷用紙１２に応じた適切な色材の濃さなどに各種印刷条件が設定され、印刷部８などを制御する。この結果、印刷用紙１２には、その種類に応じた最良の印刷条件で印刷が行われる。
【００２８】以上のような実施の形態では、印刷用紙１２の種類を判別する種類判別センサー３０は、給紙時には印刷用紙１２に押し付けられる給紙ローラ５の給紙ローラベース１７に取付けられているので、種類判別センサー３０を取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。
【００２９】また、種類判別センサー３０は、センサー支持部４０のセンサー支持脚４１に、印刷用紙１２の印刷面に沿うように回動自在に軸着されているので、検出精度が一段と向上する、などという効果を奏する。
【００３０】次に、図４および図５に示す本発明の他の実施の形態について説明する。なお、図４および図５において図１乃至図３、図６および図７と同じ符号を付した部分は略同一のものを示す。以下相違点を中心に説明する。
【００３１】図４は、本発明の他の実施の形態によるプリンタの概略構成を示す部分断面図、図５は、図４に示すプリンタの要部を示す要部平面図である。
【００３２】この形態では、前述した実施の形態の前記給紙ローラベース１７に給紙ローラ５の上方からこの給紙ローラ５と給紙トレイ２との間まで斜め下方に延びる用紙ガイド板６１を有する用紙ガイド６０を設け、この用紙ガイド６０により印刷用紙１２が給紙ローラ５の上を越えて筐体１内に入り込むのを阻止し、その用紙ガイド６０に沿って印刷用紙１２を給紙トレイ２上まで確実にガイドするようにしたものである。そして、この発明にしたがい、前記用紙ガイド６０の前記用紙ガイド板６１に、貫通孔６２と、この貫通孔６２を介して対抗するように一対のセンサー支持脚６３を形成し、このセンサー支持脚６３−６３間に、前記種類判別センサー３０の検出面３１が前記印刷用紙１２の印刷面に沿うように軸６４を用いて回動自在に軸着する。
【００３３】この構成によれば、前述の実施の形態と同様、印刷に先立って、種類判別センサー３０により印刷用紙１２の種類を判別することができ、しかも、印刷用紙１２の種類を判別する種類判別センサー３０は、給紙時には印刷用紙１２に押し付けられる給紙ローラ５の給紙ローラベース１７に取付けられているので、種類判別センサー３０を取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。
【００３４】また、前記センサー支持脚６３と用紙ガイド６０および給紙ローラベース１７とを、合成樹脂などで一体成形により形成するようにしてもよいのは勿論である。このようにすれば、部品点数の削減が図れるとともに、金型の種類も減らし、かつ組立工数の削減を図ることができる。
【００３５】なお、上述した各実施の形態は、本発明の好適な実施の形態の例であるが、これに限定されるものではなく、本発明の要旨を逸脱しない範囲において、種々変形実施可能である。
【００３６】
【発明の効果】以上説明したように、請求項１記載の発明では、印刷用紙の種類を判別する種類判別センサーは、給紙時には印刷用紙に押し付けられる給紙ローラの給紙ローラベースに取付けられているので、種類判別センサーを取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。しかも、種類判別センサーは、印刷用紙の印刷面に沿うように回動自在に取付けられているので、検出精度が一段と向上する、などという効果を奏する。
【００３７】また、請求項２記載の発明では、印刷用紙の種類を判別する種類判別センサーは、給紙時には印刷用紙に押し付けられる給紙ローラの給紙ローラベースに取付けられているので、種類判別センサーを取付けるためのみに、センサー支持シャフトやセンサー用スプリングなどの部品を準備する必要がなく、部品点数が削減されるとともに、その構成が簡素化され、組立工数が少なくなり、作業性の向上および価格の低廉化が図れる。
【００３８】また、請求項３記載の発明では、種類判別センサーをセンサー支持脚に軸着するのみで、軸着された種類判別センサーは、印刷用紙の印刷面に沿うように回動自在に取付けられ、その取付作業が極めて簡単である。
【００３９】また、請求項４記載の発明では、種類判別センサーを用紙ガイドに設けたセンサー支持脚に軸着するのみで、軸着された種類判別センサーは、印刷用紙の印刷面に沿うように回動自在に取付けられ、その取付作業が極めて簡単である他、用紙をガイドする機能を付加することができ都合がよい。
【００４０】また、請求項５記載の発明では、給紙ローラベースと、センサー支持脚が一体に形成されているので、部品点数の削減が図れるとともに、金型の種類も減らし、かつ組立工数の削減を図ることができる。
【００４１】また、請求項６記載の発明では、種類判別センサーを一対のセンサー支持脚間に軸着するのみで、軸着された種類判別センサーは、印刷用紙の印刷面に沿うように回動自在に取付けられ、その取付作業が極めて簡単である。
【図面の簡単な説明】
【図１】本発明の一実施の形態によるプリンタの概略構成を示す部分断面図である。
【図２】図１に示すプリンタの要部を示す要部平面図である。
【図３】図１の種類判別センサー部分を拡大して示す拡大断面図である。
【図４】本発明の他の実施の形態によるプリンタの概略構成を示す部分断面図である。
【図５】図４に示すプリンタの要部を示す要部平面図である。
【図６】本発明が課題とする印刷用紙の種類を判別するといった技術的思想を有するプリンタの概略構成の例を示す部分断面図である。
【図７】図６に示すプリンタの要部を示す要部平面図である。
【符号の説明】
１    筐体
２    給紙トレイ
５    給紙ローラ
５１  給紙ローラ軸
７    送りローラ
１０  駆動モータ
１６  揺動レバー
１７  給紙ローラベース
３０  種類判別センサー
４０  センサー支持部
４１  センサー支持脚
４２  軸
６０  用紙ガイド
６１  用紙ガイド板
６３  センサー支持脚
６４  軸
【図１】
2005022122.tif 000003
【図２】
2005022122.tif 000004
【図３】
2005022122.tif 000005
【図４】
2005022122.tif 000006
【図５】
2005022122.tif 000007
【図６】
2005022122.tif 000008
【図７】
2005022122.tif 000009